【手続補正書】
【提出日】平成15年11月17日(2003.11.17)
【手続補正１】
【補正対象書類名】明細書
【補正対象項目名】全文
【補正方法】変更
【補正の内容】
【発明の名称】ケーブル配線整理構造
【特許請求の範囲】
【請求項１】筐体の側面に配置し背面から前面に渡って設けられたケーブル引き込み部と、
前記ケーブル引き込み部に引き込んだケーブルを収納するケーブル収納部と、
前記ケーブル引き込み部と前記ケーブル収納部とを仕切る仕切板に背面から前面に渡って設けられた切り欠き部と、
を有することを特徴とするケーブル配線整理構造。
【請求項２】ケーブル引き込み部が上段、ケーブル収納部が下段、切り欠き部がその間にあることを特徴とする請求項１記載のケーブル配線整理構造。
【請求項３】ケーブル引き込み部及びケーブル収納部が傾斜していることを特徴とする請求項１または請求項２記載のケーブル配線整理構造。
【請求項４】架背面側が高く、前面側を低く傾斜したことを特徴とする請求項１から３いずかに記載のケーブル配線整理構造。
【請求項５】ケーブル引き込み部、ケーブル収納部、切り欠き部が筒状部品の組み合わせにて形成することを特徴とする請求項１から４いずかに記載のケーブル配線整理構造。
【発明の詳細な説明】
【０００１】
【発明の属する技術分野】
この発明は、背面から前面に配線構造を持つ筐体の配線整理構造に関するものである。
【０００２】
【従来の技術】
図４は従来の筐体のコネクタ付きケーブル配線形態を示す図である。図において、１は筐体、２は筐体１背面から前面に配線されるコネクタ付きケーブル、４は基板やユニットを収めたバスケット、５はバスケット間の隙間である。
【０００３】
従来のケーブル配線方法は多々存在するが、筐体背面から前面にコネクタ付きケーブル２の配線を行う方法としては、図４に示したように、基板やユニットを設置したバスケット間の隙間５を通して背面から前面に配線する方法が一般的である。
【０００４】
【発明が解決しようとする課題】
従来の筐体のコネクタ付きケーブル配線形態は以上のように構成されているので、コネクタ付きケーブル２を筐体１の背面から前面に配線するにはユニット間の隙間５を通さなければならず、ユニット間のスペースを取る必要があり、筐体１の外形寸法に影響を及ぼす。
【０００５】
筐体１の実装密度との関係において、充分な隙間５が確保できない場合には、コネクタ付きケーブル２を前面に引っ張り出すための治具等を使用して配線を行わなければならず、作業効率が悪くなるという問題があった。
【０００６】
また、コネクタ付きケーブル２の増設時には、既設したコネクタ付きケーブル２が邪魔になるという問題点があった。
【０００７】
この発明は、上記のような問題点を解消するためになされたもので、小スペースで筐体の前面から背面への引き回しを実現し、治具などの工具を必要とせず、コネクタ付きケーブル増設時も既設のケーブルが邪魔にならないケーブル配線整理構造を提供することを目的とする。
【０００８】
【課題を解決するための手段】
この発明に係るケーブル配線整理構造は、筐体の側面に配置し背面から前面に渡って設けられたケーブル引き込み部と、ケーブル引き込み部に引き込んだケーブルを収納するケーブル収納部と、ケーブル引き込み部とケーブル収納部とを仕切る仕切板に背面から前面に渡って設けられた切り欠き部と、を有することを特徴とする。
【０００９】
また、この発明に係るケーブル配線整理構造は、ケーブル引き込み部が上段、ケーブル収納部が下段、切り欠き部がその間にあることを特徴とする。
【００１０】
また、この発明に係るケーブル配線整理構造は、ケーブル引き込み部及びケーブル収納部が傾斜していることを特徴とする。
【００１１】
また、この発明に係るケーブル配線整理構造は、架背面側が高く、前面側を低く傾斜したことを特徴とする。
【００１２】
また、この発明に係るケーブル配線整理構造は、ケーブル引き込み部、ケーブル収納部、切り欠き部が筒状部品の組み合わせにて形成することを特徴とする。
【００１３】
【発明の実施の形態】
実施の形態１．
以下、この発明の実施の形態１を図面を参照して説明する。
図１及び図２は実施の形態１を示す図で、図１はケーブルを背面から引き込む筐体の概略斜視図であり、図２は筐体の要部の拡大図と傾斜付き２段構造のスロープ部品の前面からの断面図である。
【００１４】
図において、１は配線を背面から引き込む筐体、２は背面より引き込まれたコネクタ付きケーブル、２ａはケーブル、２ｂはコネクタ、３は背面から前面に傾斜した傾斜付き２段構造のスロープ部品である。傾斜付き２段構造のスロープ部品３は板金部品にて形成されている。
【００１５】
傾斜付き２段構造のスロープ部品３は、上下２段に構成され、上段スペースの引き込み部にコネクタ２ｂを滑らせて背面より引き込み、コネクタ２ｂを前面接続後下段スペースのケーブル収納部に敷設されたケーブル２ａを上下仕切部の切り欠き部から落とし込むものである。
【００１６】
傾斜付き２段構造のスロープ部品３を使用し、筐体１背面から前面に配線すれば、背面よりコネクタ付きケーブル２を傾斜付き２段構造のスロープ部品３の上段スペース内を滑らせながら配線を行う事ができ、治具等を使用せず、容易に配線を行えることができるので作業性の改善を提供できる。
【００１７】
また、筐体１の側面側に傾斜付き２段構造のスロープ部品３を設置することによりバスケット間配線スペースを設定する必要がなくなり、使用ケーブルによって、傾斜付き２段構造のスロープ部品３の大きさを適切に選択することで、筐体実装効率を向上できる。
【００１８】
また、敷設したケーブル２ａを傾斜付き２段構造のスロープ部品３の下段スペース内に落としこむことにより、追作業・増設作業時に、既設のケーブル２ａが邪魔にならないため、作業効率が向上する。
【００１９】
実施の形態２．
上記実施の形態１では、傾斜付き２段構造のスロープ部品３を板金部品にて形成したものを示したが、傾斜付き２段構造のスロープ部品３を樹脂などの成形品で形成してもよい。
【００２０】
上述の実施の形態によれば、傾斜付き２段構造のスロープ部品３を樹脂などの成形品で形成することにより、部品を安価で提供することができる。
【００２１】
実施の形態３．
以下、この発明の実施の形態３を図面を参照して説明する。
図３は実施の形態３を示す図で、傾斜付き２段構造のスロープ部品を示す図である。図に示すように、傾斜付き２段構造のスロープ部品３は、一対の市販品のパイプ部品を加工した部品３ａを板金部品３ｂに固定したものである。
【００２２】
傾斜付き２段構造のスロープ部品３は、上下２段に構成され、上段スペースにコネクタ２ｂを滑らせて背面より引き込み、コネクタ２ｂを前面接続後、下段スペースに敷設されたケーブル２ａを一対の市販品のパイプ部品を加工した部品３ａの対向した切り欠き部から落とし込むものである。
【００２３】
上述の実施の形態によれば、傾斜付き２段構造のスロープ部品３を市販品の簡易改造により形成できるので、部品点数の削減が図られ、部品を安価で提供することができる。
【００２４】
【発明の効果】
この発明に係るケーブル配線整理構造は、小スペースで筐体の前面から背面への引き回しを実現し、治具などの工具を必要とせず、コネクタ付きケーブル増設時も既設のケーブルが邪魔にならないという効果を奏する。
【図面の簡単な説明】
【図１】実施の形態１を示す図で、配線を背面から引き込む筐体の全体斜視図である。
【図２】実施の形態１を示す図で、配線を背面から引き込む筐体の要部拡大斜視図、及び傾斜付き２段構造のスロープ部品の前面からの断面図である。
【図３】実施の形態３を示す図で、市販パイプ部品を使用した傾斜つき２段構造のスロープ部品の斜視図および断面図である
【図４】従来の配線を背面から前面に引き込む筐体の要部拡大斜視図である。
【符号の説明】
１  筐体、２  コネクタ付きケーブル、２ａ  ケーブル、２ｂ  コネクタ、３  スロープ部品、３ａ  市販品のパイプ部品を加工した部品、３ｂ  板金部品、４  バスケット、５  隙間。